(57)【要約】【課題】シート状物を細断するに当たり、細断片のサイズを調整可能にする。【解決手段】シート状物１が搬入される搬入経路２と、この搬入経路２に搬入されたシート状物１を細断する細断装置３と、を備え、細断装置３は、搬入経路２の途中に設けられ且つ搬入されたシート状物１が当該シート状物１の搬入方向に沿う方向及びこれに交差する二方向に対して細断可能な細断機構４と、この細断機構４を駆動する駆動装置５と、この駆動装置５で細断機構４を駆動するときに細断機構４によるシート状物１の細断片サイズを可変設定するサイズ可変装置６と、を備える。【選択図】図１
2014176813.tif 000002
【特許請求の範囲】
【請求項１】
シート状物が搬入される搬入経路と、
この搬入経路に搬入されたシート状物を細断する細断装置と、を備え、
前記細断装置は、
前記搬入経路の途中に設けられ且つ前記搬入されたシート状物が当該シート状物の搬入方向に沿う方向及びこれに交差する二方向に対して細断可能な細断機構と、
この細断機構を駆動する駆動装置と、
この駆動装置で前記細断機構を駆動するときに前記細断機構によるシート状物の細断片サイズを可変設定するサイズ可変装置と、
を備えることを特徴とするシュレッダ。
【請求項２】
請求項１記載のシュレッダにおいて、
前記細断機構は、前記搬入経路に搬入されたシート状物が当該シート状物の搬入方向に沿う方向に沿って細断可能な第１のカッタ要素と、前記シート状物の搬入方向に対し前記第１のカッタ要素よりも下流側に設けられ且つ第１のカッタ要素の細断方向に交差する方向に沿って細断可能な第２のカッタ要素と、を有し、
前記サイズ可変装置は、前記第１のカッタ要素及び前記第２のカッタ要素による少なくともいずれか一方によるシート状物の細断片の細断ピッチを可変にするものであることを特徴とするシュレッダ。
【請求項３】
請求項２記載のシュレッダにおいて、
前記サイズ可変装置は、前記第１のカッタ要素に対する前記第２のカッタ要素の相対駆動速度を可変にするように、前記駆動装置を制御するものであることを特徴とするシュレッダ。
【請求項４】
請求項３記載のシュレッダにおいて、
前記駆動装置は、前記第１のカッタ要素を駆動する第１の駆動系と、この第１の駆動系とは別個独立に前記第２のカッタ要素を駆動する第２の駆動系と、を有し、
前記サイズ可変装置は、前記駆動装置としての第１の駆動系及び第２の駆動系が制御可能な制御装置からなり、前記第１の駆動系による第１のカッタ要素に対する前記第２の駆動系による第２のカッタ要素の相対駆動速度を可変にするように、前記第１及び第２の駆動系を制御することを特徴するシュレッダ。
【請求項５】
請求項１記載のシュレッダにおいて、
前記サイズ可変装置は、前記細断機構に、前記シート状物の搬入方向に交差する方向の細断ピッチが異なる複数の切断部を具備させ、細断すべき前記シート状物の細断片サイズに応じて対応する細断ピッチの切断部を選択的に使用することを特徴とするシュレッダ。
【請求項６】
請求項５記載のシュレッダにおいて、
前記細断機構は、回転可能なロール周面に切断刃が夫々予め決められた単位ピッチで回転軸方向に配列される３以上のロールカッタを有し、対構成のロールカッタ間における切断刃の噛合位置を対応する細断ピッチとすることで異なる細断ピッチの切断部を具備することを特徴とするシュレッダ。
【請求項７】
請求項２記載のシュレッダにおいて、
前記サイズ可変装置は、前記細断機構のうち第１のカッタ要素に、前記シート状物の搬入方向に交差する方向の細断ピッチが異なる複数の切断部を具備させ、細断すべき前記シート状物の細断片サイズに応じて対応する細断ピッチの切断部を選択的に使用することを特徴とするシュレッダ。
【請求項８】
請求項５又は６のいずれかに記載のシュレッダにおいて、
前記搬入経路は、共通搬入経路から前記細断機構のうち細断ピッチが異なる複数の切断部に向かって複数に分岐する分岐搬入経路を有し、
共通搬入経路と分岐搬入経路との分岐部にはシート状物の細断片サイズに応じて対応する細断ピッチの切断部が選択可能な経路切替部材を配置したことを特徴とするシュレッダ。
【請求項９】
請求項１ないし８いずれかに記載のシュレッダにおいて、
前記サイズ可変装置によるシート状物の細断片サイズを可変設定するに当たり、前記細断片サイズが指定可能な指定器を備えていることを特徴とするシュレッダ。
【請求項１０】
請求項１ないし９いずれかに記載のシュレッダにおいて、
前記サイズ可変装置によるシート状物の細断片サイズの設定状態が表示可能な表示器を備えていることを特徴とするシュレッダ。
【請求項１１】
シート状物を処理する処理部と、この処理部による処理が適正になされないシート状物を細断する請求項１ないし１０いずれかに記載のシュレッダと、を備えていることを特徴とするシート状物処理装置。
【発明の詳細な説明】
【技術分野】
【０００１】
本発明は、シート状物を細断するシュレッダに係り、特に、ユーザーの希望に沿って細断処理具合を可変にすることを企図したシュレッダ及びこれを用いたシート状物処理装置に関する。
【背景技術】
【０００２】
従来におけるシュレッダとしては例えば特許文献１，２に記載のものが既に知られている。
特許文献１には、２本の平行軸に、マルチメディア細断用カッターと、紙細断用カッターとをタンデムに配置軸着し、２本の平行軸の左右両端部と中央部との３箇所を支持部材で回転可能に支持し、マルチメディア細断用カッターで各種マルチメディアを細断すると共に、紙細断用カッターにて紙を細断するようにした複合型シュレッダーが開示されている。
特許文献２には、板状物品をカッタ要素に送り込むスロートに、積み重ねられた板状物品の厚さが検出可能な検出器を設け、この検出器の出力に基づいて挿入される積載された板状物品の厚さを把握し、許容範囲であればカッタ要素による細断を実施し、予め決められた最大厚さに近づいているときには警報を発し、更に、最大厚さを超えた場合には細断処理を中止するようにしたシュレッダが開示されている。
【先行技術文献】
【特許文献】
【０００３】
【特許文献１】特開２００７−０９８２８６号公報（発明を実施するための最良の形態，図１４）
【特許文献２】特開２００９−５３０１０８号公報（実施例，図１８）
【発明の概要】
【発明が解決しようとする課題】
【０００４】
しかしながら、この種の特許文献１，２に記載の発明にあっては、細断対象の種類によってカッター種を変えたり、細断対象の量が適正か否かによって細断処理を実施するか否かを制御するものであるが、従前のシュレッダにおいて、細断片サイズはカッター種によって一律に予め決められており、細断対象の機密性を重視するのであれば細断片サイズは細かくなるが、その分、細断処理時間を短縮化することができない一方、細断対象の細断処理時間の短縮化を企図するのであれば、細断片サイズは粗くならざるを得ないことから、細断対象が機密性の高い書類などであれば、機密が漏洩する懸念が残る。
このように、従前のシュレッダでは、細断対象の機密性に応じて細断の程度を切り替えるという要望に応えたものは未だ提供されていない。
【０００５】
本発明が解決しようとする技術的課題は、シート状物を細断するに当たり、細断片のサイズを調整可能にするシュレッダ及びこれを用いたシート状物処理装置を提供することにある。
【課題を解決するための手段】
【０００６】
請求項１に係る発明は、シート状物が搬入される搬入経路と、この搬入経路に搬入されたシート状物を細断する細断装置と、を備え、前記細断装置は、前記搬入経路の途中に設けられ且つ前記搬入されたシート状物が当該シート状物の搬入方向に沿う方向及びこれに交差する二方向に対して細断可能な細断機構と、この細断機構を駆動する駆動装置と、この駆動装置で前記細断機構を駆動するときに前記細断機構によるシート状物の細断片サイズを可変設定するサイズ可変装置と、を備えることを特徴とするシュレッダである。
【０００７】
請求項２に係る発明は、請求項１に係るシュレッダにおいて、前記細断機構は、前記搬入経路に搬入されたシート状物が当該シート状物の搬入方向に沿う方向に沿って細断可能な第１のカッタ要素と、前記シート状物の搬入方向に対し前記第１のカッタ要素よりも下流側に設けられ且つ第１のカッタ要素の細断方向に交差する方向に沿って細断可能な第２のカッタ要素と、を有し、前記サイズ可変装置は、前記第１のカッタ要素及び前記第２のカッタ要素による少なくともいずれか一方によるシート状物の細断片の細断ピッチを可変にするものであることを特徴とするシュレッダである。
請求項３に係る発明は、請求項２に係るシュレッダにおいて、前記サイズ可変装置は、前記第１のカッタ要素に対する前記第２のカッタ要素の相対駆動速度を可変にするように、前記駆動装置を制御するものであることを特徴とするシュレッダである。
請求項４に係る発明は、請求項３に係るシュレッダにおいて、前記駆動装置は、前記第１のカッタ要素を駆動する第１の駆動系と、この第１の駆動系とは別個独立に前記第２のカッタ要素を駆動する第２の駆動系と、を有し、前記サイズ可変装置は、前記駆動装置としての第１の駆動系及び第２の駆動系が制御可能な制御装置からなり、前記第１の駆動系による第１のカッタ要素に対する前記第２の駆動系による第２のカッタ要素の相対駆動速度を可変にするように、前記第１及び第２の駆動系を制御することを特徴するシュレッダである。
請求項５に係る発明は、請求項１に係るシュレッダにおいて、前記サイズ可変装置は、前記細断機構に、前記シート状物の搬入方向に交差する方向の細断ピッチが異なる複数の切断部を具備させ、細断すべき前記シート状物の細断片サイズに応じて対応する細断ピッチの切断部を選択的に使用することを特徴とするシュレッダである。
請求項６に係る発明は、請求項５に係るシュレッダにおいて、前記細断機構は、回転可能なロール周面に切断刃が夫々予め決められた単位ピッチで回転軸方向に配列される３以上のロールカッタを有し、対構成のロールカッタ間における切断刃の噛合位置を対応する細断ピッチとすることで異なる細断ピッチの切断部を具備することを特徴とするシュレッダである。
【０００８】
請求項７に係る発明は、請求項２に係るシュレッダにおいて、前記サイズ可変装置は、前記細断機構のうち第１のカッタ要素に、前記シート状物の搬入方向に交差する方向の細断ピッチが異なる複数の切断部を具備させ、細断すべき前記シート状物の細断片サイズに応じて対応する細断ピッチの切断部を選択的に使用することを特徴とするシュレッダである。
請求項８に係る発明は、請求項５又は６のいずれかに係るシュレッダにおいて、前記搬入経路は、共通搬入経路から前記細断機構のうち細断ピッチが異なる複数の切断部に向かって複数に分岐する分岐搬入経路を有し、共通搬入経路と分岐搬入経路との分岐部にはシート状物の細断片サイズに応じて対応する細断ピッチの切断部が選択可能な経路切替部材を配置したことを特徴とするシュレッダである。
請求項９に係る発明は、請求項１ないし８いずれかに係るシュレッダにおいて、前記サイズ可変装置によるシート状物の細断片サイズを可変設定するに当たり、前記細断片サイズが指定可能な指定器を備えていることを特徴とするシュレッダである。
請求項１０に係る発明は、請求項１ないし９いずれかに係るシュレッダにおいて、前記サイズ可変装置によるシート状物の細断片サイズの設定状態が表示可能な表示器を備えていることを特徴とするシュレッダである。
請求項１１に係る発明は、シート状物を処理する処理部と、この処理部による処理が適正になされないシート状物を細断する請求項１ないし１０いずれかに係るシュレッダと、を備えていることを特徴とするシート状物処理装置である。
【発明の効果】
【０００９】
請求項１に係る発明によれば、シート状物を細断するに当たり、細断片のサイズを調整することができる。
請求項２に係る発明によれば、第１、第２のカッタ要素を有する細断機構を備えた態様において、シート状物を細断するに当たり、細断片のサイズを容易に調整することができる。
請求項３に係る発明によれば、シート状物を細断するに当たり、既存の細断機構をそのまま利用し、細断片のサイズを容易に調整することができる。
請求項４に係る発明によれば、シート状物を細断するに当たり、簡単な構成で、既存の細断機構をそのまま利用し、細断片のサイズを容易に調整することができる。
請求項５に係る発明によれば、シート状物を細断するに当たり、細断機構を工夫することで、細断片のサイズを容易に調整することができる。
請求項６に係る発明によれば、細断機構に細断ピッチの異なる複数の切断部を簡単に実現することができる。
請求項７に係る発明によれば、搬入経路に沿って細断機構として第１、第２のカッタ要素を直列的に配置した態様において、シート状物を細断するに当たり、細断機構の一部を工夫することで、細断片のサイズを容易に調整することができる。
請求項８に係る発明によれば、本構成を有さない態様に比べて、シート状物の搬入箇所を選択する必要なく、シート状物を所望の細断片サイズに細断することができる。
請求項９に係る発明によれば、シュレッダによる細断片サイズを容易に設定することができる。
請求項１０に係る発明によれば、本構成を有さない態様に比べて、シュレッダによる細断片サイズの設定状態を目視で確認することができる。
請求項１１に係る発明によれば、本構成を有さない態様に比べて、シート状物を細断するに当たり、細断片のサイズを調整することが可能なシュレッダを付加したシート状物処理装置を容易に構築することができる。
【図面の簡単な説明】
【００１０】
【図１】（ａ）は本発明が適用されたシュレッダの実施の形態の概要を示す説明図、（ｂ）は（ａ）に示す実施の形態に係るシュレッダの作用を示す説明図である。
【図２】（ａ）は実施の形態１に係るシュレッダの全体構成を示す説明図、（ｂ）はその平面説明図である。
【図３】実施の形態１に係るシュレッダの要部を示す説明図である。
【図４】（ａ）は実施の形態１で用いられる裁断機構を示す説明図、（ｂ）は第１のカッタ要素を示す説明図、（ｃ）は第２のカッタ要素を示す説明図である。
【図５】実施の形態１で用いられる細断機構の駆動装置の一例を示す説明図、（ｂ）は比較の形態１で用いられる細断機構の駆動装置の一例を示す説明図である。
【図６】実施の形態１に係るシュレッダの細断制御処理過程を示すフローチャートである。
【図７】実施の形態１に係るシュレッダの細断制御処理を模式的に示す説明図である。
【図８】実施の形態２に係るシュレッダの要部を示す説明図である。
【図９】実施の形態２で用いられる細断機構の駆動装置の一例を示す説明図である。
【図１０】（ａ）は実施の形態２で用いられる裁断機構の構成を示す説明図、（ｂ）はその駆動状態を示す説明図である。
【図１１】実施の形態２に係るシュレッダの細断制御処理過程を示すフローチャートである。
【図１２】実施の形態２に係るシュレッダの細断制御処理を模式的に示す説明図である。
【図１３】実施の形態３に係るシュレッダの要部を示す説明図である。
【図１４】（ａ）は実施の形態３で用いられる細断機構及びその駆動装置を示す説明図、（ｂ）は実施の形態３で用いられる細断機構による細断原理を示す説明図である。
【図１５】実施の形態３に係るシュレッダの細断制御処理を模式的に示す説明図である。
【図１６】実施の形態４に係る画像形成装置の要部を示す説明図である。
【発明を実施するための形態】
【００１１】
◎実施の形態の概要
図１（ａ）は本発明が適用されたシュレッダの実施の形態の概要を示す説明図である。
同図において、シュレッダは、シート状物１が搬入される搬入経路２と、この搬入経路２に搬入されたシート状物１を細断する細断装置３と、を備え、前記細断装置３は、前記搬入経路２の途中に設けられ且つ前記搬入されたシート状物１が当該シート状物１の搬入方向に沿う方向及びこれに交差する二方向に対して細断可能な細断機構４と、この細断機構４を駆動する駆動装置５と、この駆動装置５で前記細断機構４を駆動するときに前記細断機構４によるシート状物１の細断片サイズを可変設定するサイズ可変装置６と、を備えるものである。
【００１２】
このような技術的手段において、シート状物１とは用紙を始め、ＣＤ等のマルチメディアのようなシート状の物品を広く含む。
そして、シート状物１は手差しで搬入経路２に搬入されてもよいし、収容受けに積載したシート状物１を自動的に供給するようにしてもよい。ここで、自動的に供給する方式としては、一枚ずつ供給する方式、複数枚のシート状物を束単位で供給する方式など適宜選定して差し支えない。
また、搬入経路２としては、細断片サイズによらず共通の搬入経路２を採用する態様、細断片サイズによって異なる搬入経路２を選択する態様がある。
【００１３】
更に、細断装置３としては、細断機構４、駆動装置５及びサイズ可変装置６を構成要素とする。
細断機構４としては、二方向に対して細断可能な機能を備えていればよく、複数のカッタ要素を組み合わせた態様が一般的であるが、一つのカッタ要素に二方向の細断機能を具備させる態様（所謂クロスカッタ）でも差し支えない。
また、駆動装置５としては、通常駆動源と駆動伝達機構とを含む。
更にまた、サイズ可変装置６は、細断機構４によるシート状物１の細断片サイズを可変にする機能を実現するものを広く含み、細断機構４の駆動を制御するようにしたり、細断機構４の構造を工夫するようにする等適宜選定することが可能である。
ここで、サイズ可変装置６としては、図１（ｂ）に示すように、例えば細断片１０が略矩形状に細断されると仮定した場合に、シート状物１の移動方向に沿う長さ寸法をｈ、シート状物１の移動方向に交差する幅方向に沿う幅寸法をｗとすれば、細断片１０サイズが少なくとも２種、標準サイズ（ｈ１×ｗ１）とこれよりも細断面積が小さい精細サイズ（ｈ２×ｗ２）とが可変設定されるものであればよい。このとき、標準サイズと精細サイズとは長さ寸法ｈ及び幅寸法ｗの少なくともいずれか一方が異なるように選定するようにすればよい。
【００１４】
次に、シュレッダの構成要素の代表的態様又は好ましい態様について説明する。
先ず、細断機構４の代表的態様としては、搬入経路２に搬入されたシート状物１が当該シート状物１の搬入方向に沿う方向に沿って細断可能な第１のカッタ要素４ａと、シート状物１の搬入方向に対し第１のカッタ要素４ａよりも下流側に設けられ且つ第１のカッタ要素４ａの細断方向に交差する方向に沿って細断可能な第２のカッタ要素４ｂと、を有するものが挙げられる。本態様は、シート状物１の搬入経路２に第１のカッタ要素４ａ、第２のカッタ要素４ｂを直列的に配置したものであるが、シート状物１の細断処理として交差する２方向の細断処理を２段階に分離して行うため、シート状物１に対して細断片１０サイズを設定し易い。
このような細断機構４に対するサイズ可変装置６の好ましい態様としては、第１のカッタ要素４ａ及び第２のカッタ要素４ｂによる少なくともいずれか一方によるシート状物１の細断片１０の細断ピッチ（シート状物１の搬入方向に沿う細断ピッチ又はこれに交差する幅方向の細断ピッチ）を可変にするものが挙げられる。
【００１５】
この種のサイズ可変装置６の代表的態様としては、第１のカッタ要素４ａに対する第２のカッタ要素４ｂの相対駆動速度を可変にするように、駆動装置５を制御するものが挙げられる。
本態様において、「第１のカッタ要素４ａに対する第２のカッタ要素４ｂの相対駆動速度を可変にする」とは、(1)第１のカッタ要素４ａの駆動速度を予め決められた定速度とし、第２のカッタ要素の駆動速度４ｂを可変にする方式、(2)第２のカッタ要素４ｂの駆動速度を定速度とし、第１のカッタ要素４ａの駆動速度を可変にする方式、(3)両方のカッタ要素４ａ，４ｂに対する駆動速度を可変にし、両者の回転比を変化させる方式を意味する。ここで、例えば方式(1)を採用した場合には、第２のカッタ要素４ｂの駆動速度を予め決められた標準モードに設定すると、第２のカッタ要素４ｂによる細断ピッチとして標準ピッチが選定され、第２のカッタ要素４ｂの駆動速度を標準モードよりも速い精細モードに設定すると、第２のカッタ要素４ｂによる細断ピッチとして精細ピッチ（標準ピッチよりも細かいピッチ）が選定される。
更に、本態様での好ましい実現例としては、駆動装置５は、第１のカッタ要素４ａを駆動する第１の駆動系５ａと、この第１の駆動系５ａとは別個独立に前記第２のカッタ要素４ｂを駆動する第２の駆動系５ｂと、を有し、サイズ可変装置６は、駆動装置５としての第１の駆動系５ａ及び第２の駆動系５ｂが制御可能な制御装置からなり、第１の駆動系５ａによる第１のカッタ要素４ａに対する第２の駆動系５ｂによる第２のカッタ要素４ｂの相対駆動速度を可変にするように、第１及び第２の駆動系５ａ，５ｂを制御するようにすればよい。
本例の駆動装置５としては、第１、第２のカッタ要素４ａ，４ｂに対して夫々別個独立の第１、第２の駆動系５ａ，５ｂを用意し、サイズ可変装置６としての制御装置によって第１，第２の駆動系５ａ，５ｂを個別制御する方式が採用される。ここで、第１、第２のカッタ要素５ａ，５ｂを共通の駆動系（共通の駆動源からの駆動力を駆動伝達機構を介して第１、第２のカッタ要素４ａ，４ｂに伝達し、両者を連動させる態様）で駆動する場合には、各カッタ要素４ａ，４ｂの回転比は一義的に決まる。
【００１６】
また、サイズ可変装置６の別の代表的態様としては、細断機構４に、シート状物１の搬入方向に交差する方向の細断ピッチが異なる複数の切断部を具備させ、細断すべき前記シート状物１の細断片サイズに応じて対応する細断ピッチの切断部を選択的に使用するものが挙げられる。
本態様は、細断機構４を工夫することでサイズ可変装置を具現化したものであり、細断機構４が、異なる細断ピッチの複数の切断部を具備し、これらを選択的に使用可能な構成を採用するものであれば適宜設計変更して差し支えない。
このとき、駆動装置５は、細断機構４全体を駆動し、必要な切断部を選択的に使用するようにしたものでもよいし、細断機構４のうち必要な切断部に対応する一部を選択的に駆動するようにしてもよい。前者の場合、不要な切断部も駆動することから駆動装置５の駆動負荷が余分にかかる構成であるため、可能な限り駆動負荷を低減する設計が望ましく、後者の場合には、駆動伝達機構に例えばクラッチ等の断続器を付加し、必要な切断部に対してのみ駆動伝達し、かつ、不要な切断部に対する駆動伝達を遮断するようにすればよい。
更に、本態様での好ましい実現例としては、細断機構４は、回転可能なロール周面に切断刃が夫々予め決められた単位ピッチで回転軸方向に配列される３以上のロールカッタを有し、対構成のロールカッタ間における切断刃の噛合位置を対応する細断ピッチとすることで異なる細断ピッチの切断部を具備するものが挙げられる。本例は、細断機構４に細断ピッチの異なる複数の切断部を具備させる実現例（対構成のロールカッタを利用）であり、異なる細断ピッチの切断部は対構成のロールカッタ間に夫々形成すればよいが、各切断部を構成する対構成のロールカッタは別個の組み合わせでもよいし、ロールカッタ列をコンパクトにするという観点からすれば、各切断部を構成する対構成のロールカッタの一方を兼用するように構築してもよい。
また、細断機構４として、搬入経路２内に第１のカッタ要素４ａ及び第２のカッタ要素４ｂを直列配置した態様にあっては、細断機構４のうち第１のカッタ要素４ａに、シート状物１の搬入方向に交差する方向の細断ピッチが異なる複数の切断部を具備させ、細断すべきシート状物１の細断片サイズに応じて対応する細断ピッチの切断部を選択的に使用するようにすればよい。
【００１７】
更に、細断機構４に細断ピッチの異なる複数の切断部を具備させる態様にあっては、搬入経路２は、共通搬入経路（図示せず）からカッタ要素４ａ，４ｂのうち細断ピッチが異なる複数の切断部に向かって複数に分岐する分岐搬入経路（図示せず）を有し、共通搬入経路と分岐搬入経路との分岐部にはシート状物１の細断片サイズに応じて対応する細断ピッチの切断部が選択可能な経路切替部材（図示せず）を配置することが好ましい。
一般に、細断機構４に細断ピッチの異なる複数の切断部を具備させる態様では、シート状物１を複数の切断部のいずれかに案内するように搬入することが必要である。このとき、夫々の切断部に対応した専用の搬入経路を設けるようにしても差し支えないが、本態様は、搬入経路２スペースを必要最小限に抑えるという観点で優れており、共通搬入経路から搬入されたシート状物１を細断片サイズに応じて分岐搬入経路のいずれかに分配し、対応する切断部に案内するものである。
【００１８】
更に、シュレッダの好ましい態様としては、サイズ可変装置６によるシート状物１の細断片サイズを可変設定するに当たり、細断片サイズが指定可能な指定器７を備えている態様が挙げられる。本態様において、指定器７は通常シュレッダ筐体に設けられるが、例えばネットワーク接続されているシュレッダであれば、パーソナルコンピュータの一部を利用して指定器７として構築しても差し支えない。
更にまた、シュレッダの他の好ましい態様としては、サイズ可変装置６によるシート状物１の細断片サイズの設定状態が表示可能な表示器８を備えている態様が挙げられる。ここで、表示器８としては、文字などを表示するディスプレイは勿論、ＬＥＤ等の表示ランプ等をも広く含むものである。本態様によれば、表示器８の表示を見ることで、処理すべき細断片サイズを目視することが可能になり、細断片サイズが誤った細断処理を未然に防止することが可能になる点で好ましい。
また、上述したシュレッダは単体で使用されることは勿論であるが、本願は、これに限られるものではなく、シュレッダを組み込んだシート状物処理装置をも対象とする。
この種のシート状物処理装置としては、シート状物１を処理する処理部（図示せず）と、この処理部による処理が適正になされないシート状物１を細断するシュレッダと、を備えた態様が挙げられる。ここでいう処理部としては、シート状物１を処理する機能部であれば適宜選定して差し支えなく、例えばシート状物１が用紙等の記録材である場合には、画像を作成する作像部、あるいは、記録材に対して折り等の後処理を実施する後処理部を指す。
【００１９】
以下、添付図面に示す実施の形態に基づいて本発明をより詳細に説明する。
◎実施の形態１
図２（ａ）は実施の形態１に係るシュレッダの全体構成を示し、同図（ｂ）はその平面説明図である。
−シュレッダの全体構成−
同図において、シュレッダ２０は、略直方体形状のシュレッダ筐体２１を有し、このシュレッダ筐体２１の上面には細断するシート状物としての用紙が投入される投入口２２を開設し、この投入口２２には一対のガイドシュートで区画された搬入経路２３を設け、この搬入経路２３の途中に細断機構２４を配設し、シュレッダ筐体２１内の細断機構２４の下方には用紙の細断片が収容される屑容器２７を出し入れ可能に配設したものである。
ここで、細断機構２４は、用紙の搬入方向に沿う方向に短冊状に細断する第１のカッタ要素２５と、第１のカッタ要素２５に対して用紙の搬入方向下流側に設けられ且つ短冊状に細断された各細断短冊片を所定の細断ピッチ毎に細断する第２のカッタ要素２６と、を有している。尚、図２中、符号５０は細断機構２４を駆動する駆動装置、６０はシュレッダ２０を操作するための操作パネルである。
【００２０】
−細断機構−
本実施の形態において、第１のカッタ要素２５は、用紙を短冊状に細断する所謂ストレートカッタと称するものであって、一対のロールカッタ３１，３２からなるものである。これらのロールカッタ３１，３２は、例えば図２（ｂ）、図３及び図４（ａ）（ｂ）に示すように、回転軸３１ａ，３２ａの軸方向に予め決められたピッチｐ（ｗ）で等間隔に円板状の切断刃３１ｂ，３２ｂを取り付けたもので、各切断刃３１ｂ，３２ｂを相互に噛合配置するようにしたものである。
また、第２のカッタ要素２６は、例えば図２（ａ）、図３及び図４（ａ）（ｃ）に示すように、回転軸４１ａの周囲に螺旋状の刃４１ｂを予め決められたピッチｐ（ｈ）の間隔で複数有するスパイラルカッタ４１と、このスパイラルカッタ４１に対向して固定配置されるフラットカッタ４２と、を有したものである。
【００２１】
−駆動装置−
本実施の形態において、駆動装置５０は、図２、図３及び図５（ａ）に示すように、第１のカッタ要素２５を駆動する第１の駆動系５１と、この第１の駆動系５１とは別個独立に前記第２のカッタ要素２６を駆動する第２の駆動系５２と、を有している。
本例では、第１の駆動系５１は、駆動源としての第１の駆動モータ５３を有し、この第１の駆動モータ５３からの駆動力を駆動伝達機構５４を介して第１のカッタ要素２５に伝達するものである。ここで、駆動伝達機構５４としては、例えば第１の駆動モータ５３の駆動軸及び第１のカッタ要素２５の一方のロールカッタ３１の回転軸３１ａに夫々プーリ５４ａ，５４ｂを固着すると共に、これらプーリ５４ａ，５４ｂ間に伝達ベルト５４ｃを掛け渡し、更に、各ロールカッタ３１，３２の回転軸３１ａ，３１ｂには伝達ギア５４ｄ，５４ｅを互いに噛合させた状態で固着するようにしたものが採用されている。
また、第２の駆動系５２は、駆動源としての第２の駆動モータ５６を有し、この第２の駆動モータ５６からの駆動力を駆動伝達機構５７を介して第２のカッタ要素２６に伝達するものである。ここで、駆動伝達機構５７としては、例えば第２の駆動モータ５６の駆動軸及び第２のカッタ要素２６のスパイラルカッタ４１の回転軸４１ａに夫々プーリ５７ａ，５７ｂを固着すると共に、これらプーリ５７ａ，５７ｂ間に伝達ベルト５７ｃを掛け渡したものが採用されている。
【００２２】
このような本実施の形態で用いられる駆動装置５０は、従前のシュレッダで用いられていた駆動装置とは相違する。
ここで、従前のシュレッダで用いられていた駆動装置の一例を比較の形態１として図５（ｂ）に示す。
同図において、比較の形態１で用いられる細断機構２４の駆動装置５０’としては、駆動源としての駆動モータ５８を有し、この駆動モータ５８からの駆動力を駆動伝達機構５９を介して第１のカッタ機構２５及び第２のカッタ機構２６に伝達するものである。
本例において、駆動伝達機構５９としては、例えば駆動モータ５８の駆動軸及び第１のカッタ要素２５の一方のロールカッタ３１の回転軸３１ａに夫々プーリ５９ａ，５９ｂを固着すると共に、これらプーリ５９ａ，５９ｂ間に伝達ベルト５９ｃを掛け渡し、更に、各ロールカッタ３１，３２の回転軸３１ａ，３１ｂには伝達ギア５９ｄ，５９ｅを互いに噛合させた状態で固着する一方、一方のロールカッタ３１の回転軸にはプーリ５９ｂと同軸にプーリ５９ｆを固着すると共に第２のカッタ要素２６のスパイラルカッタ４１の回転軸４１ａにプーリ５９ｇを固着し、これらのプーリ５９ｆ，５９ｇ間に伝達ベルト５９ｈを掛け渡したものである。
このため、比較の形態１における駆動装置５０’は、駆動モータ５８からの駆動力が第１のカッタ要素２５及び第２のカッタ要素２６に予め決められた回転比で伝達されるが、本実施の形態では、駆動装置５０は、第１のカッタ要素２５、第２のカッタ要素２６に対して別個独立に働く第１の駆動系５１、第２の駆動系５２を備えているので、少なくともいずれか一方の駆動系５１又は５２の駆動モータ５３、５６の回転速度を変更すれば、第１のカッタ要素２５及び第２のカッタ要素２６を異なる回転比で駆動回転させることが可能である。
【００２３】
−制御装置−
更に、本実施の形態では、細断機構２４を駆動する駆動装置５０は制御装置１００によって制御されるようになっている。
本例において、制御装置１００はＣＰＵ、ＲＡＭ、ＲＯＭ及び入出力ポートを含むマイクロコンピュータシステムからなり、操作パネル６０からの操作信号、搬入経路２３に用紙Ｓが搬入されたか否かを検出する位置センサ２８からの信号などを入出力ポートを介して受け取り、ＣＰＵ・ＲＡＭによってＲＯＭ内に予めインストールされている細断制御プログラム（図６参照）を実行し、入出力ポートを介して細断機構２４の駆動装置５０に対し所定の制御信号を送出するようになっている。
尚、本例では、操作パネル６０は、図３に示すように、シュレッダ２０に電源を投入するためのスタートスイッチ６１（図中ＳＴと表記）と、細断機構２４による細断片サイズを細かくする精細モードに指定するときにオン操作するモード選択スイッチ（図中ＭＳと表記）と、シュレッダ２０の動作状態を表示する表示器６３と、を有している。また、位置センサ２８は用紙Ｓが通過したことを検出可能な構成であれば、機械的、光学式センサなど適宜選定して差し支えない。
【００２４】
−シュレッダの細断制御処理−
次に、本実施の形態に係るシュレッダの細断制御処理を主として図３及び図６に示すフローチャートに従って説明する。
先ず、制御装置１００は、操作パネル６０のスタートスイッチ６１がオン操作されたことを判断した後、モード選択スイッチ６２による操作信号の有無に基づいて細断モードが‘精細モード’であるか否かを判断する。
そして、モード選択スイッチ６２がオン操作されていない場合には、制御装置１００は細断モードが‘精細モード’ではなく、‘標準モード’であると認識し、細断機構２４の駆動装置５０に対し‘標準モード’の駆動条件を設定する。具体的には、第１の駆動系５１の駆動モータ５３の駆動速度を予め決められた速度に選定することで第１のカッタ要素２５の回転速度をｖ1に設定すると共に、第２の駆動系５２の駆動モータ５６の駆動速度を予め決められた速度に選定することで第２のカッタ要素２６の回転速度をｖ21に設定する。
一方、モード選択スイッチ６２がオン操作されている場合には、制御装置１００は細断モードが‘精細モード’であると認識し、細断機構２４の駆動装置５０に対し‘精細モード’の駆動条件を設定する。具体的には、第１の駆動系５１の駆動モータ５３の駆動速度を予め決められた速度に選定することで第１のカッタ要素２５の回転速度をｖ1に設定すると共に、第２の駆動系５２の駆動モータ５６の駆動速度を標準モード時の速度よりも速い速度に選定することで第２のカッタ要素２６の回転速度をｖ22（ｖ22＞ｖ21）に設定する。
【００２５】
この状態において、シュレッダ筐体２１の投入口２２に用紙Ｓが投入されると、当該用紙Ｓは搬入経路２３に沿って細断機構２４に向かって移動する。このとき、位置センサ２８は用紙Ｓが通過したことを検出すると、位置センサ２８による検出信号が制御装置１００に取り込まれ、これに連動して、第１の駆動系５１及び第２の駆動系５２が‘標準モード’又は‘精細モード’の駆動条件に従って細断機構２４の第１のカッタ要素２５及び第２のカッタ要素２６を駆動する。
そして、用紙Ｓの後端が位置センサ２８を通過して予め決められた時間（細断処理が終了したであろうと推測される時間）が経過すると、制御装置１００は細断処理が終了したものと判断し、第１の駆動系５１及び第２の駆動系５２の駆動を停止し、一連の細断制御処理を終了する。
このように、ユーザーにとって細断すべき用紙Ｓの機密性が高い場合には、ユーザーは操作パネル６０のモード選択スイッチ６２にて‘精細モード’を選択すればよく、逆に、用紙Ｓの機密性がそれほど高くない場合には、ユーザーは操作パネル６０のモード選択スイッチ６２を操作しなければよく、これにより、‘標準モード’が自動的に選択される。
【００２６】
このような細断処理過程において、‘標準モード’‘精細モード’による処理内容に補足すると以下のようである。
＜標準モード＞
先ず、‘標準モード’では、駆動装置５０の第１の駆動系５１による第１のカッタ要素２５は回転速度ｖ1で回転し、第２の駆動系５２による第２のカッタ要素２６は回転速度ｖ21で回転することから、図５（ｂ）及び図７に示すように、用紙Ｓが第１のカッタ要素２５を通過すると、用紙Ｓは当該用紙Ｓの搬入方向に沿う方向に延び且つ第１のカッタ要素２５の細断ピッチｐ（ｗ）に対応した幅寸法ｗの短冊状の細断短冊片１０１として細断される。
そして、この細断短冊片１０１が第２のカッタ要素２６（回転速度ｖ21）を通過すると、各細断短冊片１０１は、用紙Ｓの搬入方向に沿う方向に対して第２のカッタ要素２６の細断ピッチｐ（ｈ）と回転速度ｖ21との組み合わせに対応した長さ寸法ｈ1の細断片１０２として細断される。
【００２７】
＜精細モード＞
一方、‘精細モード’では、駆動装置５０の第１の駆動系５１による第１のカッタ要素２５は回転速度ｖ1で回転し、第２の駆動系５２による第２のカッタ要素２６は回転速度ｖ22（ｖ22＞ｖ21）で回転することから、図４（ｃ）及び図７に示すように、用紙Ｓが第１のカッタ要素２５を通過するときは、‘標準モード’と同様に、用紙Ｓは当該用紙Ｓの搬入方向に沿う方向に延び且つ第１カッタ要素２５の細断ピッチｐ（ｗ）に対応した幅寸法ｗの短冊状の細断短冊片１０１として細断される。
そして、この細断短冊片１０１が第２のカッタ要素２６（回転速度ｖ22）を通過すると、各細断短冊片１０１は、用紙Ｓの搬入方向に沿う方向に対して第２のカッタ要素２６の細断ピッチｐ（ｈ）と回転速度ｖ22との組み合わせに対応した長さ寸法ｈ2（ｈ2＜ｈ1）の‘標準モード’よりも細かい細断片１０２として細断される。
例えば‘標準モード’を選定したときに、第１のカッタ要素２５の回転速度ｖ1、第２のカッタ要素２６の回転速度ｖ21とがｖ1：ｖ21＝１：１に設定され、細断片１０２の幅寸法ｗが９ｍｍ、長さ寸法ｈ1が２０ｍｍであったと仮定すると、‘精細モード’を選定したときに、第２のカッタ要素２６の回転速度ｖ22を回転速度ｖ21の２倍に速く設定すると、ｖ1：ｖ22＝１：２になり、細断片１０２は幅寸法ｗが９ｍｍ、長さ寸法ｈ2が１０ｍｍに細断される。
このように、本例では、第２のカッタ要素２６の回転速度を変更することで、細断片１０２の細断寸法（本例では長さ寸法）のセキュリティレベルを任意に設定することが可能である。
尚、本実施の形態では、‘標準モード’‘精細モード’は夫々一つの値に選定されるようになっているが、必ずしもこれに限定されるものではなく、少なくともいずれかを複数段階の値に選定されるようにしてもよいことは勿論である。
【００２８】
◎実施の形態２
−シュレッダの要部構成−
図８は実施の形態２に係るシュレッダの要部を示す説明図である。
同図において、シュレッダ２０の基本的構成は、実施の形態１と略同様であるが、細断機構２４の構成、細断片の細断寸法の可変方式、及び、用紙の搬入方式が実施の形態１と異なっている。尚、実施の形態１と同様な構成要素については実施の形態１と同様な符号を付してここではその詳細な説明を省略する。
本実施の形態において、細断機構２４は、図８ないし図１０（ａ）（ｂ）に示すように、実施の形態１と同様な第２のカッタ要素２６（スパイラルカッタ４１＋フラットカッタ４２）を備えているが、第１のカッタ要素２５が実施の形態１と異なっている。
本例における第１のカッタ要素２５は、３つのロールカッタ３１〜３３からなっており、対構成のロールカッタ３１，３２間を標準用切断部２５Ａ、対構成のロールカッタ３２，３３間を精細用切断部２５Ｂとして構成したものである。
【００２９】
−第１のカッタ要素の構造−
より具体的に述べると、３つのロールカッタ３１〜３３は、いずれも回転軸３１ａ〜３３ａの軸方向に予め決められたピッチで等間隔に円板状の切断刃３１ｂ〜３３ｂを取り付けたものであるが、ロールカッタ３１の切断刃３１ｂ間のピッチは、特に図１０（ａ）に示すように、ピッチｐ（ｗ1）に設定されるのに対し、ロールカッタ３２，３３の切断刃３２ｂ，３３ｂ間のピッチは、ロールカッタ３１のピッチｐ（ｗ1）とは異なるピッチｐ（ｗ2）に設定されている。
本例では、各切断刃３１ｂ〜３３ｂの板厚がピッチｐ（ｗ2）に略対応して設定されており、ロールカッタ３１における切断刃３１ｂ間のピッチｐ（ｗ1）はロールカッタ３２，３３における切断刃３２ｂ，３３ｂ間のピッチｐ（ｗ2）の整数倍（本例では３倍）に設定されており、対構成のロールカッタ３１，３２については、ロールカッタ３１の切断刃３１ｂがロールカッタ３２の切断刃３２ｂに対して１個置きに噛合配置され、切断刃３１ｂ，３２ｂの噛合部位に対応してピッチｐ（ｗ1）及びｐ（ｗ2）の混在した標準用切断部２５Ａが構成される一方、対構成のロールカッタ３２，３３については、ロールカッタ３２，３３の各切断刃３２ｂ，３３ｂが相互に噛合配置され、切断刃３２ｂ，３３ｂの噛合部位に対応してピッチｐ（ｗ2）の精細用切断部２５Ｂが構成されている。
【００３０】
−搬入経路−
更に、本実施の形態では、シュレッダ筐体２１に形成される搬入経路２３は、図８に示すように、投入口２２につながる共通搬入経路２３１と、この共通搬入経路２３１から第１のカッタ要素２５の標準用切断部２５Ａ、精細用切断部２５Ｂに向かって二つに分岐する分岐搬入経路２３２，２３３と、第１のカッタ要素２５を通過した用紙Ｓが第２のカッタ要素２６に向かって案内搬入される案内搬入経路２３４と、を有しており、共通搬入経路２３１と分岐搬入経路２３２，２３３との分岐部には用紙Ｓの細断片サイズに応じて対応する切断部（標準用切断部２５Ａ，精細用切断部２５Ｂ）が選択可能な切替ゲート２９を配置したものである。
尚、図８中、符号２３５及び２３６は共通搬入経路２３１及び分岐搬入経路２３２，２３３を区画して用紙Ｓを案内する対構成の前段ガイドシュート及び仕切り板であり、また、符号２３７は案内搬入経路２３４を区画して用紙Ｓを案内する対構成の後段ガイドシュートであり、本例では、第１のカッタ要素２５の複数の切断部２５Ａ，２５Ｂで切断された細断短冊片１０１を第２のカッタ要素２６の切断部位に案内可能なように下方に向かって窄まるように傾斜配置されている。
【００３１】
−駆動装置−
更にまた、本実施の形態では、駆動装置５０は、図８及び図９に示すように、第１のカッタ要素２５を駆動する第１の駆動系５１と、この第１の駆動系５１とは別個独立に設けられて第２のカッタ要素２６を駆動する第２の駆動系５２と、搬入経路２３の切替ゲート２９を切り替えるゲートアクチュエータ５５と、を有している。
ここで、第１の駆動系５１は、実施の形態１と略同様に、駆動モータ５３からの駆動力を図示外の駆動伝達機構を介して第１のカッタ要素２５に伝達するものであるが、本例では、図９及び図１０（ｂ）に示すように、駆動モータ５３として正逆回転可能なものが用いられており、‘標準モード’が‘精細モード’のいずれかを選択するかによって、第１のカッタ要素２５の使用する切断部２５Ａ，２５Ｂに応じて駆動モータ５３の回転方向が切り替えられるようになっている。但し、いずれの細断モードであっても、第１のカッタ要素２５の回転速度ｖ1は一定である。
また、第２の駆動系５２は、実施の形態１と略同様に、駆動モータ５６からの駆動力を図示外の駆動伝達機構を介して第２のカッタ要素２６に伝達するものであるが、実施の形態１と異なり、‘標準モード’、‘精細モード’のいずれを選択したとしても第２のカッタ要素２６の回転速度ｖ２は一定である。
更に、ゲートアクチュエータ５５としては、揺動可能な切替ゲート２９を切替可能に駆動するものなどあれば適宜選定して差し支えないが、本例では、例えば進退移動する作動ロッド５５ａを有し、‘標準モード’か‘精細モード’かに応じて作動ロッド５５ａを進退させることで切替ゲート２９の揺動位置を切り替える態様が採用されている。
【００３２】
−シュレッダの細断制御処理−
次に、本実施の形態に係るシュレッダの細断制御処理を主として図８及び図１１に示すフローチャートに従って説明する。
先ず、制御装置１００は、操作パネル６０のスタートスイッチ６１がオン操作されたことを判断した後、モード選択スイッチ６２による操作信号の有無に基づいて細断モードが‘精細モード’であるか否かを判断する。
そして、モード選択スイッチ６２がオン操作されていない場合には、制御装置１００は細断モードが‘精細モード’ではなく、‘標準モード’であると認識し、ゲートアクチュエータ５５を駆動することで切替ゲート２９を切り替えて‘標準モード’の細断位置Ａ、具体的には第１のカッタ要素２５の標準用切断部２５Ａに向かう分岐搬入経路２３２を選択する。
この後、制御装置１００は、細断機構２４の駆動装置５０に対し‘標準モード’の駆動条件を設定する。具体的には、図１０（ａ）（ｂ）に示すように、第１のカッタ要素２５の標準用切断部２５Ａで用紙Ｓが引き込まれる方向（図１０（ｂ）の実線の矢印方向）になるように駆動モータ５３を回転させ、第１のカッタ要素２５、第２のカッタ要素２６の回転速度を夫々予め決められたｖ1、ｖ2に設定する。
一方、モード選択スイッチ６２がオン操作されている場合には、制御装置１００は細断モードが‘精細モード’であると認識し、ゲートアクチュエータ５５を駆動することで切替ゲート２９を切り替えて‘精細モード’の細断位置Ｂ、具体的には第１のカッタ要素２５の精細用切断部２５Ｂに向かう分岐搬入経路２３３を選択する。
この後、制御装置１００は、細断機構２４の駆動装置５０に対し‘精細モード’の駆動条件を設定する。具体的には、図１０（ａ）（ｂ）に示すように、第１のカッタ要素２５の精細用切断部２５Ｂで用紙Ｓが引き込まれる方向（図１０（ｂ）の二点鎖線の矢印方向）になるように駆動モータ５３を‘標準モード’とは逆方向に回転させ、第１のカッタ要素２５、第２のカッタ要素２６の回転速度を夫々予め決められたｖ1、ｖ2に設定する。
【００３３】
この状態において、シュレッダ筐体２１の投入口２２に用紙Ｓが投入されると、当該用紙Ｓは、細断モードが‘標準モード’である場合には分岐搬入経路２３２に沿って第１のカッタ要素２５の標準用切断部２５Ａに向かって移動し、一方、細断モードが‘精細モード’である場合には分岐搬入経路２３３に沿って第１のカッタ要素２５の精細用切断部２５Ｂに向かって移動する。このとき、位置センサ２８は用紙Ｓが通過したことを検出すると、位置センサ２８による検出信号が制御装置１００に取り込まれ、これに連動して、第１の駆動系５１及び第２の駆動系５２が‘標準モード’又は‘精細モード’の駆動条件に従って細断機構２４の第１のカッタ要素２５及び第２のカッタ要素２６を駆動する。
そして、用紙Ｓの後端が位置センサ２８を通過して予め決められた時間（細断処理が終了したであろうと推測される時間）が経過すると、制御装置１００は細断処理が終了したものと判断し、第１の駆動系５１及び第２の駆動系５２の駆動を停止し、一連の細断制御処理を終了する。
【００３４】
このような細断処理過程において、‘標準モード’‘精細モード’による処理内容に補足すると以下のようである。
＜標準モード＞
先ず、‘標準モード’では、図８に示すように、駆動装置５０のゲートアクチュエータ５５が切替ゲート２９を切り替え、用紙Ｓの搬入経路２３として分岐搬入経路２３２を選択して当該用紙Ｓを‘標準モード’の細断位置Ａに向けて案内可能とし、更に、第１、第２の駆動系５１、５２が第１，第２のカッタ要素２５、２６に対して‘標準モード’の駆動条件を設定する。
この状態において、図８に実線で示すように、用紙Ｓが第１のカッタ要素２５の標準用切断部２５Ａを通過すると、図８、図１０及び図１２に示すように、この標準用切断部２５Ａは切断刃３１ｂ、３２ｂの噛合位置が一律ではなく、細断ピッチｐ（ｗ1）の噛合位置と、細断ピッチｐ（ｗ2）の噛合位置とを有していることから、用紙Ｓは、当該用紙Ｓの搬入方向に沿う方向に延び且つ第１のカッタ要素２５の細断ピッチｐ（ｗ１）、ｐ（ｗ2）（図１０（ａ）参照）に対応した幅寸法ｗ１、ｗ2の短冊状の細断短冊片１０１として交互に細断される。
そして、この細断短冊片１０１が第２のカッタ要素２６を通過すると、各細断短冊片１０１は、用紙Ｓの搬入方向に沿う方向に対して第２のカッタ要素２６の細断ピッチｐ（ｈ）と回転速度ｖ2との組み合わせに対応した長さ寸法ｈの細断片１０２として細断される。
【００３５】
＜精細モード＞
一方、‘精細モード’では、図８に示すように、駆動装置５０のゲートアクチュエータ５５が切替ゲート２９を切り替え、用紙Ｓの搬入経路２３として分岐搬入経路２３３を選択して当該用紙Ｓを‘精細モード’の細断位置Ｂに向けて案内可能とし、更に、第１、第２の駆動系５１、５２が第１，第２のカッタ要素２５、２６に対して‘精細モード’の駆動条件を設定する。
この状態において、図８に二点鎖線で示すように、用紙Ｓが第１のカッタ要素２５の精細用切断部２５Ｂを通過すると、図８、図１０及び図１２に示すように、この精細用切断部２５Ｂは全て細断ピッチｐ（ｗ2）の噛合位置を有していることから、用紙Ｓは、当該用紙Ｓの搬入方向に沿う方向に延び且つ第１のカッタ要素２５の細断ピッチｐ（ｗ2）（図１０（ａ）参照）に対応した幅寸法ｗ2の短冊状の細断短冊片１０１として交互に細断される。
そして、この細断短冊片１０１が第２のカッタ要素２６を通過すると、各細断短冊片１０１は、用紙Ｓの搬入方向に沿う方向に対して第２のカッタ要素２６の細断ピッチｐ（ｈ）と回転速度ｖ2との組み合わせに対応した長さ寸法ｈの細断片１０２として細断される。
【００３６】
次に、本実施の形態の具体例を挙げると以下の通りである。
例えば第１のカッタ要素２５の細断ピッチｐ（ｗ1）を９ｍｍ、細断ピッチｐ（ｗ2）を３ｍｍ、細断片１０２の長さ寸法ｈを１０ｍｍと仮定すると、‘標準モード’を選定したときには、用紙Ｓは第１のカッタ要素２５の標準用切断部２５Ａを通過し、９ｍｍと３ｍｍの細断短冊片１０１として細断された後、第２のカッタ要素２６にて１０ｍｍの細断片１０２として細断される。
これに対し、‘精細モード’を選定したときには、用紙Ｓは第１のカッタ要素２５の精細用切断部２５Ｂを通過し、全てが３ｍｍの細断短冊片１０１として細断された後、第２のカッタ要素２６にて１０ｍｍの細断片１０２として細断される。
この具体例において、‘精細モード’では、細断処理結果は全てが３×１０ｍｍの細断片１０２に細断されることになるため、セキュリティレベルは向上する。しかし、細断負荷が大きいため、その粉、単位時間当たりの細断枚数が減少する。
逆に、‘標準モード’では、細断処理結果は９×１０ｍｍの粗い細断片１０２と３×１０ｍｍの細かい細断片１０２とが混在した状態で細断されることになるため、セキュリティレベルは低下するが、細断負荷が小さい分、単位時間当たりの細断枚数は増加する。
本例の場合について概算してみるに、図１２に示すように、標準用切断部２５Ａにおいて６個の細断箇所に対し、精細用切断部２５Ｂでは１０個の細断箇所があることから、第１のカッタ要素２５での各切断部２５Ａ、２５Ｂにおける細断負荷比は６：１０になり、‘標準モード’が‘精細モード’に対して約６０％の細断負荷で済むことが理解される。
尚、本実施の形態では、第１のカッタ要素２５を３つカッタロール３１〜３３にて構成しているが、これに限られるものではなく、標準用切断部２５Ａ、精細用切断部２５Ｂを夫々対構成のカッタロールで構成するようにしてもよい、各切断部２５Ａ，２５Ｂの少なくとも一方を複数の細断片サイズを選択可能に構成してもよい。
【００３７】
◎実施の形態３
図１３は実施の形態３に係るシュレッダの要部を示す説明図である。
同図において、シュレッダ２０の基本的構成は、実施の形態２と略同様であるが、細断機構２４の構成、細断片の細断寸法の可変方式が実施の形態２と異なっている。尚、実施の形態２と同様な構成要素については実施の形態２と同様な符号を付してここではその詳細な説明を省略する。
本実施の形態において、細断機構２４は、図１３に示すように、実施の形態１，２と異なり、第１のカッタ要素２５と第２のカッタ要素２６とが機能的に一体化した構造のカッタ要素８０を備えている。
このカッタ要素８０は、‘標準モード’を選定したときに使用される標準用カッタ要素８１と、‘精細モード’を選定したときに使用される精細用カッタ要素８２と、を有している。
【００３８】
本例では、標準用カッタ要素８１は、図１４（ａ）（ｂ）に示すように、対構成のロールカッタ８３，８４からなり、これらのロールカッタ８３，８４は、回転軸８３ａ，８４ａの軸方向に予め決められたピッチｐ（ｗ）で等間隔に大径切断刃８３ｂ，８４ｂを取り付け、これらの大径切断刃８３ｂ，８４ｂを相互に噛合配置することで所謂ストレートカッタとしての機能部を構成することに加え、各大径切断刃８３ｂ，８４ｂの間には大径切断刃８３ｂ，８４ｂと同じピッチｐ（ｗ）で等間隔に小径切断刃８３ｃ，８４ｃを取付け、更に、各大径切断刃８３ｂ，８４ｂの周面には予め決められた所定角度ｍ毎に鋭利な切断エッジ部８３ｅ，８４ｅを形成すると共に、小径切断刃８３ｃ，８４ｃの周面にも大径切断刃８３ｂ，８４ｂと同様な位置関係をもって予め決められた所定角度ｍ毎に鋭利な切断エッジ部８３ｆ，８４ｆを形成し、一方のロールカッタ８３（又は８４）の大径切断刃８３ｂ（又は８４ｂ）の切断エッジ部８３ｅ（又は８４ｅ）と、他方のロールカッタ８４（又は８３）の小径切断刃８４ｃ（又は８３ｃ）の切断エッジ部８４ｆ（又は８３ｆ）とを近接配置することで所謂クロスカッタ（所謂ストレートカッタの細断方向と交差する方向を細断方向とするカッタ）としての機能部を構成したものである。
また、精細用カッタ要素８２も、前述した標準用カッタ要素８１と略同様に構成されているが、標準用カッタ要素８１に比べて、大径切断刃８３ｂ，８４ｂの配列ピッチｐ（ｗ）及び切断エッジ部８３ｅ，８４ｅの配置角度ｍの少なくともいずれかが小さくなるように設定されていればよい。
【００３９】
更に、本実施の形態では、駆動装置５０は、実施の形態１と略同様に、共通の駆動モータ９１からの駆動力を夫々駆動伝達機構９２を介して標準用カッタ要素８１又は精細用カッタ要素８２に伝達するようになっている。本例では、駆動伝達機構９２としては、実施の形態１等と略同様に、例えば駆動モータ９１の駆動軸及び各カッタ要素８１，８２の一方のロールカッタ８３の回転軸８３ａに夫々プーリ９２ａ，９２ｂを固着すると共に、これらプーリ９２ａ，９２ｂ間に伝達ベルト９２ｃを掛け渡し、更に、各ロールカッタ８３，８４の回転軸８３ａ，８３ｂには伝達ギア９２ｄ，９２ｅを互いに噛合させた状態で固着するようにしたものが採用されている。
更にまた、本実施の形態では、シュレッダ筐体２１に形成された搬入経路２３は、実施の形態２と略同様に、投入口２２につながる共通搬入経路２３１と、この共通搬入経路２３１から標準用カッタ要素８１、精細用カッタ要素８２に向かって二つに分岐する分岐搬入経路２３２，２３３と、を有しており、共通搬入経路２３１と分岐搬入経路２３２，２３３との分岐部には用紙Ｓの細断片サイズに応じた標準用カッタ要素８１による細断位置Ａ又は精細用カッタ要素８２による細断位置Ｂが選択可能な切替ゲート２９を配置したものである。尚、切替ゲート２９は実施の形態２と同様なゲートアクチュエータ（図示せず）によって駆動されるようになっている。
【００４０】
次に、本実施の形態に係るシュレッダの作動について説明する。
＜標準モード＞
先ず、‘標準モード’では、図１３〜図１５に示すように、駆動装置５０のゲートアクチュエータ（図示せず）が切替ゲート２９を切り替え、用紙Ｓの搬入経路２３として分岐搬入経路２３２を選択して当該用紙Ｓを‘標準モード’の細断位置Ａに向けて案内可能とし、標準用カッタ要素８１を選択的に駆動するようにする。
この状態において、図１３に実線で示すように、用紙Ｓが標準用カッタ要素８１を通過すると、用紙Ｓは、‘標準モード’として予め設定されている細断条件（例えば大径切断刃による細断ピッチ：ｐ（ｗ）＝一定）,切断エッジ部の配置角度ｍ＝ｍ１）に従って、＜細断ピッチに対応した幅寸法ｗ1＞×＜切断エッジ部の配置角度ｍ１に対応した長さ寸法ｈ1＞の細断片１０２として細断される。
【００４１】
＜精細モード＞
一方、‘精細モード’では、図１３〜図１５に示すように、駆動装置５０のゲートアクチュエータ（図示せず）が切替ゲート２９を切り替え、用紙Ｓの搬入経路２３として分岐搬入経路２３３を選択して当該用紙Ｓを‘標準モード’の細断位置Ａに向けて案内可能とし、標準用カッタ要素８１を選択的に駆動するようにする。
この状態において、図１３に二点鎖線で示すように、用紙Ｓが精細用カッタ要素８２を通過すると、用紙Ｓは、‘精細モード’として予め設定されている細断条件（例えば大径切断刃による細断ピッチ：ｐ（ｗ）＝一定）,切断エッジ部の配置角度ｍ＝ｍ2＜ｍ１）に従って、＜細断ピッチに対応した幅寸法ｗ2＞×＜切断エッジ部の配置角度ｍ2に対応した長さ寸法ｈ2＞の標準モードより細かい細断片１０２として細断される。
尚、本例では、標準用カッタ要素８１，精細用カッタ要素８２における大径切断刃による細断ピッチｐ（ｗ）は予め決められた値に設定されているが、これに限られるものではなく、細断ピッチｐ（ｗ）を異なるように設定しても差し支えない。
【００４２】
◎実施の形態４
図１６は実施の形態４に示す画像形成装置の要部を示す説明図である。
同図において、画像形成装置２００は、装置筐体２１０内にシュレッダ２０を組み込んだものである。
本例において、画像形成装置２００の基本的構成は、装置筐体２１０内に例えば電子写真方式の画像が作成可能な作像部２２０を有し、所定の搬送経路２１３に沿って、用紙供給トレイ２３０から供給された用紙を作像部２２０まで搬送した後、作像部２２０にて作成された画像を用紙Ｓに転写すると共に、例えば加熱加圧定着方式の定着器２４０にて用紙Ｓ上に画像を定着するようにしたものである。尚、符号２５０は作像部２２０による通常の画像形成処理を実施した画像形成済みの用紙Ｓを収容する用紙収容トレイである。
ここで、作像部２２０の一例としては、例えば感光体２２１の周囲に、当該感光体２２１を帯電する帯電器２２２、帯電された感光体２２１上に静電潜像を書き込む露光器２２３、感光体２２１上に書き込まれた静電潜像をトナーにて可視像化する現像器２２４、感光体２２１上に作成された画像（トナーによる像）を用紙Ｓに静電転写させる転写器２２５、及び、感光体２２１上の転写後の残留物を清掃する清掃器２２６を配設したものが挙げられる。
そして、本実施の形態では、装置筐体２１０内にはシュレッダ２０が組み込まれており、例えば装置筐体２１０の側方にはシュレッダ２０に用紙Ｓを案内する用紙案内トレイ２８０が設けられ、この用紙案内トレイ２８０からシュレッダ２０に細断すべき用紙Ｓが案内されるようになっている。
本例で用いられるシュレッダ２０としては実施の形態１〜３に挙げられた態様のいずれでも適用することが可能である。
更に、装置筐体２１０には、画像形成装置２００の操作パネル２６０が設けられ、この操作パネル２６０には通常の作像処理に対する作像操作部２６１のほかに、シュレッダ２０に対する細断操作部２６２（例えば実施の形態１の操作パネル６０に相当）が設けられ、この操作パネル２６０による操作に伴って画像形成装置２００を制御する制御装置２７０が設けられている。
【００４３】
次に、本実施の形態に係る画像形成装置の作動について説明する。
同図において、今、操作パネル２６０の作像操作部２６１を操作したとすると、制御装置２７０は、作像モードに従って、作像部２２０、用紙供給トレイ２３０、定着器２４０、用紙Ｓの搬送系に対して画像形成に必要な制御信号を送出し、一連の画像形成処理を実施する。
一方、操作パネル２６０の細断操作部２６２を操作したとすると、用紙案内トレイ２８０に細断すべき用紙Ｓをセットしてシュレッダ２０に搬入すれば、ユーザーの要望に沿って‘標準モード’又は‘精細モード’で用紙Ｓの細断処理が実施される。
本例では、画像形成装置２００にシュレッダ２０を組み込んだので、例えば作像部２２０による作像処理が不適正であった用紙Ｓなどが生じたとしても、直ちにシュレッダ２０による細断処理を実施することが可能である点で好ましい。
【符号の説明】
【００４４】
１…シート状物，２…搬入経路，３…細断装置，４…細断機構，４ａ…第１のカッタ要素，４ｂ…第２のカッタ要素，５…駆動装置，５ａ…第１の駆動系，５ｂ…第２の駆動系，６…サイズ可変装置，７…指定器，８…表示器，１０…細断片
【図１】
2014176813.tif 000003
【図２】
2014176813.tif 000004
【図３】
2014176813.tif 000005
【図４】
2014176813.tif 000006
【図５】
2014176813.tif 000007
【図６】
2014176813.tif 000008
【図７】
2014176813.tif 000009
【図８】
2014176813.tif 000010
【図９】
2014176813.tif 000011
【図１０】
2014176813.tif 000012
【図１１】
2014176813.tif 000013
【図１２】
2014176813.tif 000014
【図１３】
2014176813.tif 000015
【図１４】
2014176813.tif 000016
【図１５】
2014176813.tif 000017
【図１６】
2014176813.tif 000018